(57)【要約】      （修正有）【課題】高齢者や体にハンディのある人であっても安全で快適に、温められた血流が体の隅々まで行き渡る、温浴、半身浴、全身浴を繰り返し楽しめる入浴装置を提供する。【解決手段】入浴装置は、傾斜を特徴とする体を預ける部分２を有し、定期又は不定期で任意に、常に流入する湯に対し、排出口５の高さを調整し、湯の容量を変化させる構造により、全身浴、温浴、半身浴を得る。体の上部は、体を預ける部分２から温浴効果を得、体を預ける部分２の傾斜は、常に脚部分が湯の中に入る半身浴が継続するように調整し、温浴効果を高めることを得る。温浴、半身浴と全身浴を交互に繰り返し得、体の隅々まで温められた血流でみたされ、血行を良好な状態にし、湯冷めのない入浴が快適におこなわれる。【選択図】図１
2007111468.tif 000002
【特許請求の範囲】
【請求項１】
体を預ける部分は浴槽または湯船内に設置される構成であり、小石や岩盤などの保温効果の高い素材から成り、体とともに体を預ける部分を定期又は不定期に、任意に湯面からの露出度合いを変化させることによって保温及び加熱を得ることを特徴とする温浴、半身浴、全身浴を繰り返し得る入浴装置。
【請求項２】
体を預ける部分を定期又は不定期で、任意に湯面からの露出度合いを変化させることを特徴とする温浴、半身浴、全身浴を繰り返し得る入浴装置であって、
常に湯が入浴装置に導き入れられ、湯面の高さ、すなわち浴槽内の湯の容量は、湯の排出する量を調整することにより、任意に得られる。湯は温泉湯や加熱装置などにより任意の湯の温度に調整した湯を用いる。
体を預ける部分は傾斜のついた小石や岩盤などの保温効果の高い素材から成り、体を預ける傾斜部分は、任意の傾斜角に調整できる事を特徴とする。
体とともに体を預ける傾斜部分の湯面からの露出度合を、浴槽内の湯の容量を、手動または自動で連続的にくりかえし変化させる事によって保温及び加熱を得る。
以上の構成により温浴、半身浴、全身浴を得ることを特徴とする入浴装置。
【請求項３】
体を預ける部分を定期又は不定期で、任意に湯面からの露出度合いを変化させることを特徴とする温浴、半身浴、全身浴を繰り返し得る入浴装置であって、
湯面の高さ、即ち湯の容量は一定で、体とともに体を預ける傾斜部分の湯面からの露出度合いは、体を預ける部分の高さを、任意に調整することにより得られる。湯は温泉湯や加熱装置などにより任意の湯の温度に調整した湯を用いる。
体を預ける部分は傾斜のついた小石や岩盤などの保温効果の高い素材から成り、体を預ける傾斜部分は、任意の傾斜角に調整できる事を特徴とする。
体とともに体を預ける傾斜部分の湯面からの露出度合を、体とともに体を預ける傾斜部分の高さの調整を、手動または自動で連続的にくりかえし変化させることによって保温及び加熱を得る。
以上の構成により温浴、半身浴、全身浴を得ることを特徴とする入浴装置。
【請求項４】
体を預ける傾斜部は小石や岩盤などの保温効果の高い素材から成る。保温及び加熱は、温泉湯または加熱装置などにより任意の湯の温度に調整した湯を用いて行う、傾斜部下部。傾斜部上部は小石や岩盤などを加熱装置で任意の調整した温度に保温及び加熱により行うことを特徴とする入浴装置。
【請求項５】
体を預ける部分を定期又は不定期で、任意に湯面からの露出度合いを変化させることを特徴とする温浴、半身浴、全身浴を繰り返し楽しめる入浴装置であって、
湯面の最も高い位置では、体と自重の圧により生ずる、体を預ける部分との接する圧迫を水の浮力によって軽減できる。すなわち、自重の圧を水の浮力によって軽減し、体を動かさずとも快適な状態を維持できることを特徴とする請求項２記載の入浴装置。
【請求項６】
体を預ける部分を定期又は不定期で、任意に湯面からの露出度合いを変化させることを特徴とする温浴、半身浴、全身浴を繰り返し楽しめる入浴装置であって、
湯面の最も高い位置では、体と自重の圧により生ずる、体を預ける部分との接する圧迫を水の浮力によって軽減できる。すなわち、自重の圧を水の浮力によって軽減し、体を動かさずとも快適な状態を維持できることを特徴とする請求項３記載の入浴装置。
【発明の詳細な説明】
【技術分野】
【０００１】  本発明は、入浴装置に関する。
【背景技術】
【０００２】  現在主流の入浴方法は、浴槽または湯船に湯を満たし入浴する形態がほとんどである。また、湯を用いること無く温浴する方法は岩盤浴、サウナ風呂や低温サウナ風呂などで行われている。【０００３】  湯を満たした風呂の入浴に際し、特に温泉などの公衆が入浴する浴場や家庭の風呂では、湯あたりや長湯による人体への影響を常に考慮し入浴しなければならない。これは、入浴の際の湯温を入浴者が選択できないことが問題となる。その結果、以下のような人体への影響が考えられる。例として、のぼせや立ち眩みがあげられる。一般に高い湯温にある湯に入浴した場合は、のぼせに注意しなければならない。また、一般に低い湯温にある湯の入浴であっても、長時間の入浴は、水圧による体表面への圧迫が血流を抑えることとなり、水圧から解放されたとき、抑えられていた血流も解放され、立ち眩みの要因となり注意しなければならない。入浴者の個人差もあるが、様々な条件により人体への影響も変わるからである。入浴が人体に悪い影響を及ぼしかねない事柄は、広く一般に認知されているが、入浴が心と体の健康を増進することを目的とした場合、体の芯まで温めることが肝要である。しかし、温泉などの公衆が入浴する浴場の場合、必ずしも湯温が適切かどうかは、個人毎の嗜好する温度などもあり、体の芯まで温まる長時間の入浴が出来ない事もある。【０００４】  この問題を解決するために、温泉などの公衆が入浴する浴場などでは、入浴に間隔を設けて対処する方法の推奨や、半身浴の推奨が行われている。【０００５】  温泉などの浴場や家庭の風呂であっても、半身浴はできるが、もともと全身浴を考慮されて浴槽や浴場が構成されており、かならずしも、安全で快適な入浴ができるとはかぎらない。【０００６】  ところで、近年、岩盤浴のような湯を用いること無く温浴する方法も多く見うけられる。この場合には、加熱された石の板状の物に体を横たえることになり、体の一部分が圧迫され、絶えず、体を動かすことを強いられる。また、健康を増進することを目的とした入浴として、サウナ風呂更には低温サウナ風呂やミストサウナもあるが、一部の愛好家の利用にとどまっている。その理由としては、密閉に近い閉ざされた空間で、特有の臭いや、体調に留意しなければならないこと、さらには、加齢にともない身体機能の低下した人には負担が大きい事などがあげられる。
【発明の開示】
【発明が解決しようとする課題】
【０００７】  入浴に間隔を設けて対処する入浴方法や、サウナ風呂更には低温サウナ風呂やミストサウナなどの温浴方法は、進みつつある高齢化社会においても、安心、安全、快適な入浴を実現するには困難な入浴、温浴方法であり、常に人体への影響を考慮し入浴しなければならない。その具体的な要因としては、体の芯まで温まる、即ち、温められた血流が体の隅々まで行き渡るには、相応の時間を必要とすることである。【０００８】  湯を満たした風呂の入浴やサウナ風呂等における往来の入浴方法では、温められた血流が体の隅々まで行き渡る前に、入浴に間隔を設けるため、必ずしも快適な入浴は行われないという課題がある。この課題を解決する為の方法、また高齢者や、加齢にともない身体機能の低下した人などが、安全で快適に入浴できる方法が求められる。【０００９】  しかしながら、全ての人々が入浴に際し、体の芯まで温まる、即ち、温められた血流が体の隅々まで行き渡る状態を好むとは限らない。そこで、浴場の状態によって、人々が好みの入浴方法を選べる必要性もある。【００１０】  本発明は、このような課題に着目してなされたもので、高齢者や、加齢にともない身体機能の低下した人であっても、安全で快適に体の芯まで温まる、即ち、温められた血流が体の隅々まで行き渡る、相応の時間を入浴できる温浴、半身浴、全身浴を繰り返し楽しめる入浴装置を提供することを目的としている。
【課題を解決するための手段】
【００１１】  上記目的を達成するために、第１の本発明に係る入浴装置は、定期又は不定期で任意に、常に流入する湯の容量に対し、排出する湯の容量を調整する。なお、湯の注入に際しては、浴槽の上からでも、浴槽内の下からでも良く、湯の排出口は、湯面を調整しうる、浴槽の上部に設置される構造である。また、浴槽の材質は、ＦＲＰ、石材、コンクリート、木材など、材質にとらわれず、湯の充分な保温が保てれば良い。
体と体を預ける部分を定期又は不定期で、任意に湯面からの露出度合いを変化させることを特徴とする入浴装置であって、体を預ける部分での温浴および、半身浴、全身浴を、繰り返し連続的に得ることができるよう構成されていることを特徴とする。【００１２】  体の芯まで温まる、温められた血流が体の隅々まで行き渡る、相応の時間の入浴には、２０分から３０分の入浴を要する。通常の入浴時間では長時間に値し、入浴に間隔を設けて対処することとなる。
第１の本発明に係る入浴装置では、浴槽内の湯の容量の調整により、体は、湯と、小石や岩盤などの保温効果の高い体を預ける部分からの保温により、充分な入浴時間を実現できる。さらに、浴槽内の体を預ける部分の露出度合いを繰り返し連続的に変えることを特徴としており、湯面の調整位置により、全身浴では、体の上半部も含めた全身および、体を預ける部分の保温と加熱ができる。【００１３】  第１の本発明に係る入浴装置では、浴槽内の湯面の調整位置により、小石や岩盤などの保温効果の高い体を預ける部分からの温浴、半身までの半身浴とした場合、体の末端から、具体的には、脚の部分からと、加熱された体を預ける部分より、血流を温めて体全体に温められた血流が行き渡る時間の入浴が、穏やかに体に負担無く得られる。【００１４】  一方、体の上部にあたる、加熱された、体を預ける上部部分は、体との接触部分が熱移動により、冷める。冷めた、体を預ける上部部分を再び加熱することと、体の上部部分の保温と加熱には、任意に調整した高さまで湯を入れることで得られる。【００１５】  このように、第１の本発明に係る入浴装置では、浴槽内の湯面は、常に導き入れる湯を、排出する湯の容量の調整により湯面の高さを任意に調整することにより、繰り返し連続的に変えることを特徴としており、湯面の調整位置、即ち高さを維持する時間の調整で安全で快適な入浴を容易に得ることができる。【００１６】  第２の本発明に係る入浴装置は、定期又は不定期で任意に体を預ける部分を湯面より露出させることを特徴とする入浴装置であって、湯面の位置、すなわち体を預ける部分の露出度合いは、体を預ける部分の高さを調整することにより、任意に得られることを特徴とする。【００１７】  第２の本発明に係る入浴装置は、浴槽の湯面、即ち湯の容量が常に一定の時、体を預ける部分、小石や岩盤などの保温効果の高い素材部分を上下させることにより、体を預ける部分の露出度合いを得ることができる。体を預ける部分は、浴槽内に設置された、空気を注入することによって膨らむ密閉された袋状の物の上に設置され、空気の注入排出により、任意に調整した位置を得られる。【００１８】  第２の本発明に係る入浴装置は、体を預ける部分を可動させることで、体および体を預ける部分に対して、湯面からの露出度合いを得るが、体に対する効果は、第１の本発明に係る入浴装置と同等である。
【発明の効果】
【００１９】  本発明によれば、血流を温めて体全体に温められた血流が行き渡る時間の入浴が、穏やかに体に負担無く快適に得られる入浴装置を、提供することができる。
【発明を実施するための最良の形態】
【００２０】  以下、図面に基づき、本発明の実施の形態について説明する。
図１乃至図５は、本発明の実施の形態の入浴装置を示している。
図１に示すように、入浴装置１は、浴槽と体を預ける部分２および、体を預ける部分を保持する仕切り板４とを有している。【００２１】  図１（ａ）に示すように、入浴装置１は、体を預ける部分２が浴槽の中に設置されている。入浴装置１は、図１（ｂ）および（ｄ）に示すように、浴槽内の湯の容量１１および湯の容量１２のように、排水口５の高さ調整部により、排水口小２１および排水口大２２にいたるまで、任意に調整できるように構成されている。【００２２】  体を預ける部分２は、小石や岩盤などの保温効果の高い素材から成る。体を預ける部分２に対して、湯の容量が多く設定してあるのは、浴槽内の温度を安定して保つ目的である。具体的には、湯から小石や岩盤などに、熱移動が生じた際、湯の容量を多くしていることで、湯の冷めを少なく保つことである。【００２３】  なお、体を預ける部分２は、体を安定して保持できれば、形にとらわれること無く、窪んでいても、突起があってもよい。【００２４】  次に、作用について説明する。
入浴装置１は、図１（ｂ）の湯の容量１１まで湯を満たした状態の入浴と、図１（ｄ）の湯の容量１２に示すように、体を預ける部分２が完全に露出して、温浴する方法を連続的に繰り返し得る。【００２５】  以下、それぞれの方法で入浴の体感を比較検討した。
湯の温度を４０℃とし、湯を完全に満たし入浴した場合の体感、および体を預ける部分２が完全に露出して温浴する方法と、湯の容量１１から湯の容量１２を連続的に変えることを繰り返した場合とを比較した。なお、体を預ける部分２は、直径５ｍｍを中心とした、不揃いの小石である。【００２６】  図１（ｂ）に示すように、湯の容量１１まで湯を満たした状態は、通常の家庭用浴槽の入浴に近い。首から頭が湯面より出ている状態を維持し、寝湯のような形の入浴となる。４０℃の湯の温度は比較的に熱く感じ、５分前後から１０分で、湯を上がりたい状態となる。【００２７】  一方、図１（ｄ）に示すように、湯の容量１２まで湯を排水した状態は、岩盤浴のような湯を用いること無く温浴する方法に近い。体を預ける部分２は、湯により、充分加熱されており、水より熱伝導率が小さいせいか、入浴始めのころ、体を預ける部分２、即ち小石から伝わる温度と感触は心地よく感じる。しかしながら、体と体を預ける部分２の接触部分では、小石から体への熱移動により、小石の温度が下がり始める。この場合も、時間にして、５分から１０分の経過後である。さらに時間の経過とともに、体を預ける部分２の熱に対して不満を覚える。【００２８】  今度は、図１（ｂ）に示すように、湯の容量１１まで湯を満たした状態と、一方、図１（ｄ）に示すように、湯の容量１２まで湯を排水した状態を５分間隔で連続的に繰り返すことを確認した。この場合、２０分の時間を要した入浴になるが、体と体を預ける部分２の接触部分は、常に充分な熱量により、保温効果を得、温められた血流が体の隅々まで行き渡る、相応の時間の入浴ができる。また、湯の容量１１まで湯を満たした状態であっても、５分ほどの時間であれば、体に負担無く、入浴できることを、確認した。【００２９】  以上のように、血流を温めて体全体に温められた血流が行き渡る時間の入浴が、穏やかに体に負担無く快適に得られる入浴装置１は、連続的に湯の容量が変化することを特徴とし、湯面の調整位置、即ち高さを維持する時間の調整で安全で快適な入浴を容易に得ることができる。【００３０】  さらに入浴装置１は、湯の容量１１まで湯を満たした状態であっても、体にかかる水圧が通常の浴槽より少なく、湯から上がった後で起こる、立ち眩みが起きないことが確認された。立ち眩みは、長湯などの後に注意しなければならないが、要因として、湯の温度で温まった体で、同時に水圧により、体表面の血管が圧迫され、血流は抑制された状態から、水圧が抜けた場合に、血流が抑制から解放されることによる。入浴装置１は、安全で、快適な、穏やかに体に負担無く得られる入浴装置であることを確認した。【００３１】  健康を維持、増進することを目的とする入浴として、入浴装置１は、穏やかに体に負担の無い入浴を得られ、体の温熱療法、サウナ風呂更には低温サウナ風呂やミストサウナや岩盤浴にも劣らない、発汗作用で、体調に留意しなければならない人、さらには、加齢にともない身体機能の低下した人にも安心して入浴できる入浴装置である。【００３２】  入浴装置１は、加齢にともない身体機能の低下した人にも安心感をともなって入浴できることの一つに、岩盤浴などのような温浴と異なり、寝返り、即ち、体と���を預ける部分の圧迫を、体を移動するとこなく解放できる。入浴装置１において、図１（ｄ）に示すように、湯の容量１２まで湯を排水した状態では、体と体を預ける部分２に、自重による圧が発生するが、図１（ｂ）に示すように、湯の容量１１まで湯を満たした状態となると、水の浮力により、圧が半減される。よって、常に入浴装置１の連続的に繰り返しおこなわれる、湯の容量の変化で、気持ちよさを阻害するような体に感じる圧迫感から解放される。【００３３】  入浴装置１は、図１に示す、体を預ける部分２に小石などの保温効果の高い素材を用いた場合、体と体を預ける部分２との接点は、点で接触することとなり、体の自重による適度な圧で刺激を受けることとなる。体が点で接触した部分の圧は、図１（ｂ）に示すように、湯の容量１１まで湯を満たした状態となると、水の浮力効果で、圧が半減される。湯の容量の連続した変化で、自重による適度な圧と、水の浮力効果の圧半減によるくりかえしで、適度なマッサージ効果を得、快適な入浴が入浴装置１では得られた。【００３４】  既存にあるサウナ風呂などの機能に代表される発汗を目的とする入浴装置や、湯船につかり温浴効果を得る概念とは異なる入浴装置１は、体に無理なく負担無く体のすみずみまで温まる効果を得、身体にハンディキャップのある人や、加齢にともない運動機能に支障をきたした人に有用であり、温浴および半身浴の効果と、全身浴の満足感を同時に満たすことを楽しめる入浴装置である。【００３５】  入浴装置１は、温浴および半身浴、全身浴を、繰り返し連続的に得ることができるよう構成されており、第一の特徴である定期又は不定期で任意に、常に流入する湯に対し、排出口５の高さを調整し、浴槽内の湯の容量を変化させる構造により、温浴および半身浴の血流を充分に暖める時間の入浴ができることと同時に、全身浴の満足感を得る入浴装置で、既存の安全に留意しなければならない構造の入浴装置とは本質的に違う。【００３６】  入浴装置１は、体を預ける部分を定期又は不定期で、任意に湯面からの露出度合いを変化させることを特徴とする入浴装置であって、第二の特徴である、体を預ける部分２の高さを調整する構造により、温浴および半身浴と、全身浴を連続的にくりかえすことで、安全で快適に満足感を得る。【００３７】  なお、図２に示すように、入浴装置１は、昇降構造部６を有し、一定の湯の容量の中で、昇降構造部６により、体を預ける部分２の高さを調整する構造である。図２（ａ）に示すように、体を預ける部分２を下げた調整位置では、全身浴を得、図２（ｃ）では、体を預ける部分２を上げた調整位置で、温浴および半身浴を得る。【００３８】  また、図３に示すように、入浴装置１は、平らな体を預ける部分２を有し、第一の特徴である定期又は不定期で任意に、常に流入する湯に対し、排出口５の高さを調整し、湯の容量を変化させる構造により、湯の容量が図３（ａ）では、全身浴を得、図３（ｃ）では、温浴を得る。【００３９】  図４に示すように、入浴装置１は、平らな体を預ける部分２を有し、第二の特徴である定期又は不定期で任意に、体を預ける部分２の高さを調整する構造により、温浴と、全身浴を連続的にくりかえす。昇降構造部６を有し、一定の湯の��量の中で、昇降構造部６により、体を預ける部分２の高さを調整する構造である。図４（ａ）に示すように、体を預ける部分２を下げた調整位置では、全身浴を得、図４（ｃ）では、体を預ける部分２を上げた調整位置で、温浴を得る。【００４０】  図５に示すように、入浴装置１は、傾斜を特徴とする体を預ける部分２を有し、図５（ａ）に示すように、常に半身、即ち脚部分が湯の中に入る半身浴が継続しておこなわれるように調整し、温浴効果を高め、体を預ける部分２の保温および加熱には、浴槽に注入される湯の熱を利用する、湯導入管７を有し、半身浴と同時に、温浴を得ることができる。
【図面の簡単な説明】
【００４１】
【図１】本発明の第１の実施の形態の入浴装置に湯を満たした（ａ）部分断面図、（ｂ）入浴装置に湯を満たした立体斜視図、（ｃ）体を預ける部分２が露出するまで湯を排出した部分断面図、（ｄ）体を預ける部分２が露出するまで湯を排出した状態を示す立体斜視図である。
【図２】図１に示す入浴装置の第２の実施の形態の体を預ける部分を昇降装置により、低位置に調整した（ａ）部分断面図、（ｂ）立体斜視図、（ｃ）体を預ける部分を昇降装置により、高位置に調整した部分断面図、（ｄ）体を預ける部分を昇降装置により、高位置に調整した状態を示す立体斜視図である。
【図３】図１に示す入浴装置の変形例の体を預ける部分を平らにした（ａ）部分断面図、（ｂ）入浴装置に湯を満たした立体斜視図、（ｃ）体を預ける部分２が露出するまで湯を排出した部分断面図、（ｄ）体を預ける部分２が露出するまで湯を排出した状態を示す立体斜視図である。
【図４】図１に示す入浴装置の第２の実施の形態の変形例の（ａ）部分断面図、（ｂ）立体斜視図、（ｃ）体を預ける部分を昇降装置により、高位置に調整した部分断面図、（ｄ）体を預ける部分を昇降装置により、高位置に調整した状態を示す立体斜視図である。
【図５】図１に示す入浴装置の第１の実施の形態の（ａ）部分断面図、（ｂ）立体斜視図、（ｃ）体を預ける部分２の上部に加熱構造を設置した状態を示す部分断面図である。
【符号の説明】
【００４２】  １      入浴装置
２      体を預ける部分
３      湯
４      湯を通す穴のあいた仕切り板
５      湯の排出口
６      昇降構造部
７      加熱装置、温水の引き込み管
１１      湯の容量大
１２      湯の容量小
１３      湯の容量中
２１      湯の排出口小
２２      湯の排出口大
３１      昇降構造部の体を預ける部分下位位置
３２      昇降構造部の体を預ける部分上位位置
【図１】
2007111468.tif 000003
【図２】
2007111468.tif 000004
【図３】
2007111468.tif 000005
【図４】
2007111468.tif 000006
【図５】
2007111468.tif 000007